(57)【要約】通信モードおよびステレオモードで動作するハンドヘルド無線通信装置（１０）。当該装置は、ハウジング（１２）と、通信モードであるとき基地局（６４）と通信するためのハウジング（１２）内の長距離送受信機（３６）と、装置（１０）がステレオモードであるとき放送無線局（７６）から信号を受信するためのハウジング（１２）内の受信器（４８）とを含む。放送無線局（７６）は、ハンドヘルド装置に例えばＡＭ信号またはＦＭ信号を送信し得る。ハウジング（１２）内のコントローラ（３０）は、装置（１０）を通信モードまたはステレオモードに設定するための制御信号を生成し、複数のスピーカ（２８、５６、５７）による音声信号の可聴音としての再生を選択的に制御する。複数のスピーカ（２８、５６、５７）は、ハンドヘルド装置（１０）のハウジング（１２）の反対端に長手方向に配置された一対のスピーカ（２８、５６）を含む。【選択図】図４
2008518504.tif 000002
【特許請求の範囲】
【請求項１】
ハンドヘルド無線通信装置（１０）であって、
ハウジング（１２）と、
前記ハウジング（１２）内のマイクロホン（２６）と、
前記装置が通信モードであるとき、無線通信ネットワークの基地局（６４）に信号を送信／から信号を受信する前記ハウジング（１２）内の長距離送受信機（３６）と、
前記装置がステレオモードであるとき、放送無線局（７６）から送信される無線信号を受信する前記ハウジング（１２）内の受信器（４８）と、
前記放送無線局（７６）から受信した前記無線信号をステレオ音声として出力する前記ハウジング（１２）内の複数のスピーカ（２８、５６、５７）と、
を含むことを特徴とするハンドヘルド無線通信装置。
【請求項２】
前記ハンドヘルド通信装置（１０）における前記通信モードと前記ステレオモードとの切替のための第１の制御信号を生成するように構成されるコントローラ（３０）をさらに含むことを特徴とする請求項１に記載のハンドヘルド装置。
【請求項３】
前記コントローラ（３０）は、ユーザ入力に応答して前記第１の制御信号を生成することを特徴とする請求項２に記載のハンドヘルド装置。
【請求項４】
前記コントローラ（３０）は、着信の検出に応答して前記第１の制御信号を自動的に生成することを特徴とする請求項２に記載のハンドヘルド装置。
【請求項５】
チューナ（５０）をさらに含み、
前記コントローラ（３０）は、選択された前記放送無線局（７６）に関連する無線周波数に前記チューナ（５０）を同調させるための第２の制御信号を生成することを特徴とする請求項２に記載のハンドヘルド装置。
【請求項６】
選択された前記放送無線局（７６）に関連する前記無線周波数を格納する前記ハウジング（１２）内のメモリをさらに含むことを特徴とする請求項５に記載のハンドヘルド装置。
【請求項７】
前記コントローラ（３０）は、前記ハンドヘルド装置（１０）が前記通信モードであるか前記ステレオモードであるかに基づいて前記複数のスピーカ（２８、５６、５７）の選択されたものに対して有効／無効にするよう構成されることを特徴とする請求項２に記載のハンドヘルド装置。
【請求項８】
前記コントローラ（３０）は、受信された前記無線信号をサンプリングし、ユーザ入力に基づいて複数のスピーカ（２８、５６、５７）の負荷を制御するよう構成されることを特徴とする請求項２に記載のハンドヘルド装置。
【請求項９】
前記ハウジング（１２）に隣接した格納位置および該ハウジング（１２）から間隔をおいて配置される延伸位置において位置決め可能なディスプレイ（２２）をさらに含むことを特徴とする請求項１に記載のハンドヘルド装置。
【請求項１０】
前記ディスプレイ（２２）が前記収納位置と前記延伸位置との間で移動可能にするための、前記ディスプレイ（２２）と前記ハウジング（１２）と間の１つ以上の回動可能ヒンジ（８０）をさらに含むことを特徴とする請求項９に記載のハンドヘルド装置。
【請求項１１】
前記ディスプレイ（２２）が前記延伸位置にあるとき、前記ディスプレイ（２２）の高さを調節可能にするための、前記ディスプレイ（２２）と１つ以上の前記回動可能ヒンジ（８０）とに接続された１つ以上のテレスコープ伸縮脚（８２）をさらに含むことを特徴とする請求項１０に記載のハンドヘルド装置。
【請求項１２】
前記ハンドヘルド装置（１０）が前記通信モードであるとき、前記ディスプレイ（２２）は１つ以上の遠隔者の映像を表示することを特徴とする請求項９に記載のハンドヘルド装置。
【請求項１３】
前記ハンドヘルド装置（１０）が前記ステレオモードであるとき、前記ディスプレイ（２２）は前記複数のスピーカ（２８、５６、５７）の負荷のグラフィック表現を表示することを特徴とする請求項９に記載のハンドヘルド装置。
【請求項１４】
前記複数のスピーカ（２８、５６、５７）は、前記ハンドヘルド装置（１０）の反対側に長手方向に配置されたスピーカ（２８、５６）の第１ペアを含むことを特徴とする請求項１に記載のハンドヘルド装置。
【請求項１５】
前記ハンドヘルド装置（１０）が前記通信モードであるとき、長手方向に配置されたスピーカ（２８、５６）の前記第１ペアの１つのスピーカ（２８）は使用可能にされ、もう一方のスピーカ（５６）は使用不能にされることを特徴とする請求項１４に記載のハンドヘルド装置。
【請求項１６】
前記ハウジング（１２）の前記複数のスピーカ（２８、５６、５７）は、長手方向に配置されたスピーカ（５７）の第２ペアをさらに含むことを特徴とする請求項１４に記載のハンドヘルド装置。
【請求項１７】
長手方向に配置されたスピーカ（２８、５６）の前記第１ペアの低周波音を再生することを特徴とする請求項１６に記載のハンドヘルド装置。
【請求項１８】
長手方向に配置されたスピーカ（５７）の前記第２ペアの高周波音を再生することを特徴とする請求項１７に記載のハンドヘルド装置。
【請求項１９】
長手方向に配置された前記第１および第２ペアのスピーカ（２８、５６、５７）はステレオ音声を再生可能なよう構成されることを特徴とする請求項１６に記載のハンドヘルド装置。
【請求項２０】
ハンドヘルド無線通信装置（１０）のユーザに対し可聴音を再生する方法であって、
通信モードにおいて、ハンドヘルド無線通信装置（１０）のハウジング（１２）に配置された長距離送受信機（３６）で無線通信ネットワークの基地局（６４）からの通信信号を受信する工程と、
ステレオモードにおいて、前記ハンドヘルド無線通信装置（１０）の前記ハウジング（１２）に配置された受信機（４８）で放送無線局（７６）からの無線信号を受信する工程と、
受信した前記無線信号を再生するため、前記ハンドヘルド無線通信装置（１０）の前記ハウジング（１２）に配置された複数のスピーカ（２８、５６、５７）のうち選択されたものを使用可能にする工程と、
を含むことを特徴とする方法。
【請求項２１】
前記通信モードにおいて、前記ハンドヘルド装置（１０）を設定するための制御信号を生成する工程をさらに含むことを特徴とする請求項２０に記載の方法。
【請求項２２】
前記制御信号は、ユーザ入力に応答して生成されることを特徴とする請求項２１に記載の方法。
【請求項２３】
前記制御信号は、着信の検出に応答して生成されることを特徴とする請求項２１に記載の方法。
【請求項２４】
前記ステレオモードにおいて、前記ハンドヘルド装置（１０）を設定するための制御信号を生成する工程をさらに含むことを特徴とする請求項２０に記載の方法。
【請求項２５】
前記制御信号は、前記放送無線局（７６）に対する周波数の選択に応答して生成されることを特徴とする請求項２４に記載の方法。
【請求項２６】
複数のスピーカ（２８、５６、５７）のうち選択されたものを使用可能にする前記工程は、
前記ハンドヘルド装置（１０）が前記ステレオモードのとき、第１および第２のスピーカ（２８、５６）を使用可能にする工程を含み、
前記第１および第２のスピーカ（２８、５６）は、前記ハンドヘルド無線通信装置（１０）の反対側に長手方向に配置されることを特徴とする請求項２０に記載の方法。
【請求項２７】
前記第１および第２のスピーカ（２８、５６）を介して前記無線信号をステレオ音声として再生する工程をさらに含むことを特徴とする請求項２６に記載の方法。
【請求項２８】
複数のスピーカ（２８、５６、５７）のうち選択されたものを使用可能にする前記工程は、
前記ハンドヘルド装置（１０）が前記ステレオモードのとき、第３および第４のスピーカ（５７）を使用可能にする工程と、
使用可能にされた前記スピーカ（２８、５６、５７）を介して前記無線信号をステレオ音声として再生する工程と、
をさらに含むことを特徴とする請求項２６に記載の方法。
【請求項２９】
前記第１および第２のスピーカ（２８、５６）は低周波音を再生し、前記第３および第４のスピーカ（５７）は高周波音を再生することを特徴とする請求項２８に記載の方法。
【請求項３０】
複数のスピーカ（２８、５６、５７）のうち選択されたものを使用可能にする前記工程は、
前記ハンドヘルド無線通信装置（１０）が前記通信モードのとき、第２のスピーカ（５６）を使用不能にする工程をさらに含み、該第２のスピーカ（５６）はマイクロホンに近接して配置されることを特徴とする請求項２６に記載の方法。
【請求項３１】
前記ハンドヘルド装置（１０）が前記ステレオモードのとき、受信された前記無線信号をサンプリングする工程と、
前記複数のスピーカ（２８、５６、５７）の負荷のグラフィック表現を表示する工程と、
をさらに含むことを特徴とする請求項２０に記載の方法。
【請求項３２】
前記ハンドヘルド無線通信装置（１０）に接続されたディスプレイ（２２）を、収納位置から延伸位置に延長する工程をさらに含むことを特徴とする請求項２０に記載の方法。
【請求項３３】
ハンドヘルド無線通信装置（１０）であって、
無線通信ネットワークの１つ以上の基地局（６４）と通信する通信回路（１６）と、
放送無線局（７４）からの無線信号を受信するステレオ回路（２０）と、
ユーザに対し受信した前記無線信号をステレオ音声として再生するための、長手方向に配置されたスピーカ（２８、５６）の第１ペアと、
を含むハウジング（１２）を含むことを特徴とするハンドヘルド無線通信装置。
【請求項３４】
長手方向に配置されたスピーカ（５７）の第２ペアをさらに含むことを特徴とする請求項３３に記載のハンドヘルド装置。
【請求項３５】
収納位置と延伸位置との間で移動可能なディスプレイ（２２）をさらに含むことを特徴とする請求項３４に記載のハンドヘルド装置。
【請求項３６】
前記ディスプレイが前記収納位置にあるとき、前記ディスプレイ（２２）はスピーカ（２８、５６）の前記第１ペアの各々のスピーカの間に位置することを特徴とする請求項３５に記載のハンドヘルド装置。
【請求項３７】
前記ディスプレイ（２２）は、前記ハウジング（１２）に１つ以上の回動可能ヒンジ（８０）を介して接続されることを特徴とする請求項３５に記載のハンドヘルド装置。
【請求項３８】
前記ディスプレイ（２２）は、該ディスプレイ（２２）が前記延伸位置にあるとき、該ディスプレイ（２２）の高さをユーザが調節可能にするための１つ以上のテレスコープ伸縮脚（８２）を含むことを特徴とする請求項３５に記載のハンドヘルド装置。
【請求項３９】
前記ハウジング（１２）に接続されたハンドル（８４）をさらに含むことを特徴とする請求項３３に記載の装置。
【発明の詳細な説明】
【技術分野】
【０００１】
本発明は、一般に無線通信装置に関し、特に商業ラジオ放送信号を受信可能な無線通信装置に関する。
【背景技術】
【０００２】
無線通信装置によって、無線通信ネットワークを介して遠隔者と通信することができる。周知のように、遠隔者の声を表す音声信号は、ネットワークの基地局から受信され、装置のハウジングに配置されるスピーカを介して可聴音として再生される。しかしながら、大部分の無線通信装置には、通信能力を引き立たせる多種多様な機能も組み込まれている。一部の製造業者は、例えば、ＦＭラジオを製品の中に組み込んでいる。さらに他の製造業者は、インタフェースポートを介して無線通信装置に接続されるチューナ回路を有する別個の装置を提供する。例えばＦＭ無線局により提供される商業ラジオ放送信号を聞くために、ユーザは、チューナを無線通信装置と接続し選択するＦＭ局に同調させる。無線通信装置またはチューナ上の制御ボタンによって、ユーザは、音楽を聞くためのＦＭモードと着信／発信に応答／設定する通信モードとを切り替えることができる。
【発明の開示】
【発明が解決しようとする課題】
【０００３】
概して、製造業者は、無線通信装置に高品質な複数のスピーカを設置しない。むしろ、通常は単一のスピーカである。これはコストのような要因にも因り得るが、通常、ユーザは耳にすぐ近くにスピーカを配置するので、会話の用途にとって単一のスピーカで十分だからである。そのため、従来の装置においては、ユーザはステレオ・サウンドの享受を可能とするために、装置または別個の装置に接続する一対のヘッドホンまたは外部スピーカが必要である。しかしながら、これは、ユーザが器材とケーブルによる付加的な部分でコストと同様に負担をかけられることを意味する。
【課題を解決するための手段】
【０００４】
本発明は、無線通信および商業ラジオ受信の双方をハンドヘルド無線通信装置により利用可能とする。ハンドヘルド装置であって、ハウジングと、コントローラと、長距離送受信機と、受信機と、複数のスピーカとを含む。コントローラと、長距離送受信機と、受信機と、複数のスピーカとは、ハウジングに配置される。長距離送受信機は、１つ以上のセルラ周波数で全二重で基地局と通信し、受信機は、１つ以上の無線周波数で放送無線局により送信される無線信号を受信する。無線周波数は、例えば、ＡＭ／ＦＭ放送無線局により送信されるＡＭ／ＦＭ無線信号であってもよい。スピーカのうち少なくとも２つは、長手方向に配置され、ハンドヘルド装置の反対側に配置される。ハンドヘルド装置のハウジングに接続されたディスプレイは、ハウジングに隣接した収納位置と拡張可能との間で引き伸ばし可能なよう構成されている。
【０００５】
コントローラは、ハンドヘルド・ワイヤレス通信装置が１つ以上の動作モードで動作するように構成される。動作モードは、通信モード、ステレオモード、カメラモード、遠隔会議モード、カラオケ・モードを含む。通信モードでは、コントローラは、複数のスピーカのうちの少なくとも１台を選択的に使用可能にし、基地局から受信される音声信号を可聴音として再生する。ステレオ・モードでは、コントローラは、複数のスピーカの各々を使用可能にし、無線信号をステレオ音声として再生する。更にコントローラは、ハンドヘルド装置を通信モードとステレオ・モードとの間で切替える制御信号を生成できる。一実施形態において、コントローラは、ユーザの入力に応答して制御信号を生成する。他の実施形態では、コントローラは、着信の検出に応答して制御信号を生成する。
【発明を実施するための最良の形態】
【０００６】
図面を参照すると、図１は、本発明によるカメラを備えたハンドヘルド無線通信装置１０を示している。この図はカメラを備えた移動電話の装置１０を示すが、当業者は、本発明がメディア撮像機能の有無によらず任意のハンドヘルド無線通信装置に適用可能であることを認識する。装置としては、パーソナルデジタルアシスタンス（ＰＤＡ）、移動電話、衛星電話、パーソナル通信サービス（ＰＣＳ）デバイス、パーム・コンピュータ等が含まれるがそれに限定されない。
【０００７】
図１に示すように、装置１０は、ハウジング１２、ユーザインターフェース１４、通信回路１６、カメラアセンブリ１８、ステレオ受信回路２０を含んでいる。ユーザインターフェース１４は、ディスプレイ２２、キーパッド２４、マイクロホン２６、スピーカ２８を含み、ユーザが装置１０と相互作用するのに必要な要素を提供する。ディスプレイ２２によって、ユーザは、ダイヤル番号、呼の状態、メニューオプション、典型的に無線通信に関連するサービス情報とともに、グラフィックスおよびスピーカバランス情報のような受信およびステレオ音声の再生に関する情報も見ることが出来る。ディスプレイ２２は、また、装置１０がカメラモードのときはビューファインダとして、装置１０が遠隔会議モードのときは遠隔会議ディスプレイとして動作する。加えて、装置１０がカラオケモードで利用されるとき、ディスプレイ２２は曲のテキストを表示できる。
【０００８】
装置１０表面に配置されるキーパッド２４は、英数字キーパッドと、ジョイスティック、ボタンコントロール、ダイヤルなどの入力コントロールを含む。キーパッド２４により、操作者は、番号のダイヤル、コマンドの入力、メニューシステムからのオプション選択が出来ると共に、受信機の特定の無線局への同調、音量調節などのステレオ回路２０の動作を制御できる。加えて、キーパッド２４によって、ユーザがカメラアセンブリ１８の機能を制御できる。
【０００９】
マイクロホン２６は、ユーザの声を電気的な音声信号に変換し、スピーカ２８は音声信号をユーザに聞き取り可能な可聴音に変換する。マイクロホン２６およびスピーカ２８は、公知の音声トランスデューサの任意のものでよい。しかしながら、以下で更に詳細に述べるように、装置１０の現在の動作モードによって、スピーカ２８は１つ以上の付加的なスピーカ５６、５７と連動してステレオ音声を再生する。
【００１０】
通信回路１６は、コントローラ３０、メモリ３２、音声処理回路３４、アンテナ３８を有する長距離送受信機３６を備えている。メモリ３２は、装置１０内の全階層のメモリを表しており、ランダムアクセスメモリ（ＲＡＭ）と読取り専用メモリ（ＲＯＭ）を含み得る。装置１０の動作に必要なコンピュータプログラム命令とデータは、不揮発性メモリ（例えばＥＰＲＯＭ、ＥＥＰＲＯＭおよび／またはフラッシュメモリ）に格納され、ディスクリートデバイス、スタックデバイス、あるいは、コントローラ３０と一体化したデバイスとして実装され得る。メモリ３２は、また、例えば事前にプログラムされた商業ラジオの放送無線局の周波数など、ステレオ回路２０の動作に関する情報を格納するために用いてもよい。
【００１１】
コントローラ３０は、メモリ３２に格納されたプログラムに従って装置１０の動作を制御し、カメラアセンブリ１８によって撮像された画像をデジタル的に変換する周知の技術を使用できる。制御機能は、例えば、単一のマイクロプロセッサにより、または、多数のマイクロプロセッサにより実装されうる。適切なマイクロプロセッサは、例えば、汎用あるいは特定目的のマイクロプロセッサとデジタルシグナルプロセッサを含むことができる。コントローラ３０は、スピーカ２８に基本的なアナログ出力信号を出力しマイクロホン２６からアナログ音声入力を受信する音声処理回路３４と入出力を行うことができる。コントローラ２８は、また、例えば、キーパッド２４を介してユーザから入力される制御信号に応答してカメラアセンブリ１８の動作を制御できる。加えて、コントローラ３０は、ステレオ回路２０の動作を制御するために１つ以上の制御信号を生成できる。これは、音量調節、同調調整とイコライザ機能を含むが、これに限定されるものではない。
【００１２】
送受信機３６は、無線通信ネットワークの１つ以上の基地局とセルラ信号を受信し送信するためのアンテナ３８に接続される。送受信機３６は完全に機能するセルラ無線送受信機であり、ＧＳＭ（Global System for Mobile Communications）、ＴＩＡ／ＥＩＡ−１３６、ｃｄｍａＯｎｅ、ｃｄｍａ２０００、ＵＭＴＳおよびＷｉｄｅｂａｎｄ  ＣＤＭＡを含む任意の周知の標準に従って動作する。
【００１３】
カメラアセンブリ１８は、カメラ・画像インタフェース４０、カメラ４４、オプションで統合フラッシュ４２を含む。カメラアセンブリ１８は、公知の任意のカメラアセンブリでよく、レンズアセンブリ（不図示）、イメージセンサ（不図示）、イメージプロセッサ（不図示）のような要素を更に含むことができる。カメラ・画像インタフェース４０は、カメラアセンブリ１８とコントローラ３０をインタフェースする。周知のように、イメージプロセッサ（不図示）は、カメラ・画像インタフェース４０とカメラ４４および／またはフラッシュデバイス４２の間に配置され、カメラ４４および／またはフラッシュデバイス４２を制御し画像を処理する。図１では、カメラ・画像インタフェース４０は分離された構成要素として示されるが、カメラ・画像インタフェース４０はイメージプロセッサまたはコントローラ３０に統合され得ることは理解されなければならない。
【００１４】
カメラアセンブリ１８はデジタル化されメモリ３２に保存される画像を撮像する。コントローラ３０によりデジタル的に変換されディスプレイ２２へ出力され、あるいは、送受信機３６を介して無線ネットワークに送信される。カメラアセンブリ１８は、静止画（スチル）、動画（ビデオ）または両方を撮像するために用いてもよい。フラッシュ装置４２は、撮像する画像オブジェクトを照らすために、必要な場合に閃光を発する。フラッシュ装置４２は、装置１０と統合されるか、あるいは、一般的に無線通信装置と共に提供されるシステムインタフェース・ポート（不図示）を介して装置１０に接続される周辺デバイスであってもよい。
【００１５】
ステレオ回路２０は、１つ以上の商業放送無線局（例えばＦＭ無線局）から無線信号放送を受信しユーザに受信信号をステレオ音声として再生可能な公知の任意の回路でもあってもよい。ステレオ回路２０は、例えば、一般的に”ブームボックス”として公知の携帯用ステレオ装置の回路のタイプでも良い。ステレオ回路２０は、インタフェース回路４６、アンテナ４９に接続している受信機４８、チューナ５０、復調器５２、増幅器５４、１つ以上のスピーカ５６、５７を有する。
【００１６】
インタフェース回路４６は、ハードウェアおよび／またはソフトウェアのコンポーネントを有し、ステレオ回路２０とコントローラ３０をインタフェースする。以下で詳しく述べるように、コントローラ３０は、インタフェース４６に１つ以上の制御信号を送ることによって、周波数同調、スピーカ音量のようなステレオ回路２０のさまざまな動作パラメータおよび装置１０の動作モードを制御できる。そして、インタフェース４６は、その制御信号をステレオ回路２０の適切なコンポーネントに送信する。同様に、ステレオ回路２０に含まれる構成要素は、また、コントローラ３０にフィードバック信号またはリクエスト信号を送信しても良い。インタフェース４６は、例えば、コントローラ３０と別であるプロセッサであってもよいし、コントローラ３０と統合された回路であってもよい。
【００１７】
受信機４８は、遠隔局により放送される信号をアンテナ４９を介して受信する。例えば、遠隔局は、無線通信ネットワークの外部にある、ＡＭおよび／またはＦＭ無線局のような公的・私的に所有される放送無線局であってもよい。遠隔局により放送される無線信号は、一般的には音楽、テキスト、画像または音声を表す情報を運ぶ変調された正弦波であるが、正弦波はまた、他の種類の情報を運ぶことができる。受信機４８が特定の放送無線局から無線信号放送を受け取るために、受信機４８は、放送無線局によって使用される特定の送信周波数に同調する必要がある。
【００１８】
受信機４８は、一般的にチューナ５０により同調することが出来る。チューナ５０は、環境に浸透する数千の無線信号のから所望の無線信号を分離するために、共振回路を使用できる。例えば、チューナ５０は受信機４８をＦＭラジオ局（例えば９６．１  ＭＨｚ）の無線周波数に同調させることができるし、受信機４８をＡＭラジオ局（例えば６８０ＫＨｚ）によって使用される無線周波数に同調させることもできる。これらの場合、チューナ５０は、それぞれ、９６．１ＭＨｚまたは６８０ＫＨｚで送信されている無線信号だけを選択する。装置１０によって、受信された他の全ての無線信号は無視される。
【００１９】
チューナ５０は、キーパッド２４とコントローラ３０を介してユーザにより制御され得、例えば外部ノブのような分離されたユーザ制御部５８を使用して制御され得る。一実施形態において、ユーザは、直接キーパッド２４により所望の周波数を入力することにより同調する周波数受信機４８を制御する。コントローラ３０は、ユーザによる周波数入力に応答して、インタフェース４６を介してチューナ５０に制御信号を送る。加えて、１つ以上の周波数はメモリ３２に格納されても良く、各々は特定の商業放送無線局を識別するための識別子を有する。これらの場合、ユーザは、所望の放送無線局を選択するため、単に１つ以上のメニュー項目を移動するか、あるいは、キーパッド２４で予め設定されたキーシーケンスを押下すればよい。コントローラ３０は、メモリ３２から選択された周波数を読み、受信機４８を選択された放送無線局の送信周波数に同調させるためにインタフェース４６を介してチューナ５０に適切な制御信号を生成し送信するだろう。他の実施形態では、ユーザは、周波数帯（例えばＡＭまたはＦＭ）を選択し、および／または、利用可能な周波数範囲で受信機４８を同調するためにユーザ制御部５８を操作する。チューナ５０は受信機４８（インタフェース４６および／またはコントローラ３０と統合されている）の一部であってもよいし、別々の構成要素であってもよい。
【００２０】
復調器５２は、受信信号を復調し、正弦波から所望の情報を抽出する。ＡＭ伝送信号では、復調器５２は、受信された正弦波によって伝送される音楽、音声、画像またはテキストを抽出する。ＦＭ伝送信号では、復調器５２は、受信されたＦＭ信号における微小変化を検出し、可聴音に変換する。復調器５２のどのタイプが使用されても、増幅器５４はユーザのために復調された信号を増幅する。増幅された信号は、１つ以上のスピーカ５６、５７を介してユーザへ出力される。コントローラ３０は、ユーザ入力に応答して、スピーカ５６、５７により出力される音量を増加／減少／ミュートするための増幅器５４の制御を行うためインタフェース４６に１つ以上の制御信号を送信できる。
【００２１】
スピーカ２８とスピーカ５６、５７はそれぞれの回路によって別に制御されてもよいし、コントローラ３０によって共通に制御されてもよいと理解されなければならない。一実施形態において、コントローラ３０は、装置１０がどのモードで現在動作しているかの情報を取得し続け、それにしたがって選択的に適切にスピーカ２８、５４を使用可能／使用不能にする。例えば、通信モードでは、コントローラ３０は、スピーカ２８に全ての音声信号を出力できる。ステレオモードまたは遠隔会議モードでは、コントローラ３０は、スピーカ２８と同様に、複数のスピーカ５６、５７に、音声信号を出力できる。この際、装置１０は、ステレオ音声をユーザに提供できる。
【００２２】
図２は、装置１０が動作可能な典型的環境の一実施形態を示す図である。環境は、単一のネットワークまたは複数のネットワークおよび／またはネットワークのタイプを含み得るが、ネットワークの広がりは、本明細書においては明確化のためネットワーク６０により示される。
【００２３】
図２は、セルラネットワーク６２と衛星通信ネットワーク８０を含むネットワーク６０を示す図である。放送網７４も併せて示されるが、ネットワーク６０の外部でもよい。セルラネットワーク６２は、セルラ通信ネットワークの典型的な構成を示しており、移動交換局（ＭＳＣ）６８に接続した１つ以上の基地局（ＢＳ）６４を含む。ＢＳ６４の各々は、１つ以上のアンテナ６６を含み得、セルとして公知の特定の地理的領域において装置１０に対するセルラサービスを提供する。ＢＳ６４は、装置１０と遠隔者とのユーザ間通信を容易にし、制御信号を装置１０に送信する。これらの信号は、例えば、衛星からのエフェメリスデータ装置１０から位置要請への更新・返答を含むことができる。ＭＳＣ６８は、ＢＳ６４を介して装置１０へ／からの呼出の経路制御を行い、ホームロケーションレジスタ（ＨＬＲ）７０とビジターロケーションレジスタ（ＶＬＲ）７２と通信する。ＨＬＲ７０およびＶＬＲ７２は、装置１０の位置と動作状態に関する情報を格納し、ＭＳＣ６８と同じ位置に配置されるか統合されるよう構成してもよいし、されないよう構成してもよい。
【００２４】
放送網７４は、１つ以上のアンテナ７８に接続される商業放送無線局７６を含む。放送無線局７６は一般的に全方向に無線信号を送信する送信機（不図示）を含む。放送無線局７６は、一般の市民による受信のための商業無線周波数で無線信号を放送するいかなる公的あるいは私的に所有される無線局でもあってもよい。例えば、放送無線局７６は、ＦＭあるいはＡＭの無線信号を送信するＦＭ放送局およびＡＭ放送局であってもよい。ＦＭ周波数帯の信号は一般的に８８ＭＨｚ〜１０８ＭＨｚの間の周波数で送信され、ＡＭ無線帯の信号は一般的に５３５ＫＨｚ〜１．７ＭＨｚの間の周波数で送信される。上述したように、装置１０のユーザは、これらの周波数帯を介して送信される信号のいずれかを受信するためにステレオ回路２０を同調できる。
【００２５】
衛星ネットワーク８０は、衛星８２を含み、地球周回軌道から無線信号を送信する。衛星ネットワーク８０は、位置座標（例えばＧＰＳ）を送信するために用いてもよいし、装置１０の通信ネットワーク（例えば衛星通信システム）の一部として使用しても良い。加えて、衛星ネットワーク８０は、装置１０に、音楽、音声、テキストまたは画像を含む信号を送信しても良い。これは、衛星ラジオとして一般に公知であり、ＧＨｚの範囲の周波数に受信機４８を同調することによってステレオ回路２０により受信され得る。周知のように、衛星ネットワーク８０は、装置１０のユーザに音楽および他の情報を提供するために、セルラ通信ネットワーク６２および／または放送網７４と相互に通信可能である。
【００２６】
上述したように、装置１０は、１つ以上のモードで動作可能である。これらは、セルラ電話モード、遠隔会議モード、カラオケモード、ステレオモード、カメラモードを含むが、これに限定されるものではない。ユーザは、これらの動作モードの使用可能／使用不能を単にキーパッド２４のキーを用いて切り替えることが出来る。本発明の一実施形態では、コントローラ３０は、装置１０の現在の動作モードに応じて、選択されたスピーカ２８、５６、５７を使用可能または使用不可にする。
【００２７】
図３は、セルラ電話モードでの動作のために構成した装置１０の全体図を示す。特に、ハウジング１２は、一般的に”ブームボックス”すなわち携帯用ステレオに似たように形成され、上面部１２ａ、底面部１２ｂおよび２つの側面部１２ｃを有する。底面部１２ｂは、装置１０が卓上または他の表面に配置された場合に装置１０が安定するようほぼ平坦な面を有する。ハンドル８４は、ユーザが装置１０をもち上げ可能なようハウジング１２に取り付けられ得る。キー２４ａ、２４ｂは、遠隔者に発信するための番号のダイヤル、ネットワーク６２から着信の許可、あるいは、ディスプレイ２２上のさまざまなメニュー項目の選択に用いてもよい。ナビゲーションディスク２４ｃは、例えば、ディスプレイ２２に表示されるメニューオプションの呼び出しおよび／または操作するために用いてもよい。そして、本実施形態において、ディスプレイ面２２ａがユーザの前に現れるようにディスプレイ２２は配置される。そして、この位置このモードで、ディスプレイ２２は、メニュー項目、ダイヤル番号、発信者ＩＤ情報、および一般的に無線通信に関する他のデータを表示するために用いることができる。
【００２８】
装置１０のハウジング１２の複数のスピーカ２８、５６、５７は、長手方向に配置されている。本実施形態において、スピーカ２８と５６とは、装置１０の長手方向の反対側に配置される。スピーカ２８および５６は、例えば、低周波の可聴音を再生するウーハであってもよい。同様に、スピーカ５７は、長手方向に配置されている。スピーカ５７は、例えば、高周波の可聴音を再生するツィータであってもよい。ディスプレイ２２は収納位置において、スピーカ２８、５６、および５７がディスプレイ２２の両側に位置するよう配置される。図３に示すように、スピーカ２８、５６および５７の配置により、ステレオ音声の再生が容易になる。加えて、キー２４ａ、２４ｂは、ディスプレイ２２が収納位置にある場合、ディスプレイ２２の端周辺に配置される。
【００２９】
前述のように、コントローラ３０は、ハンドヘルド装置１０の動作モードに応じて、スピーカ２８、５６および５７のうち選択されたものを使用可能／使用不能にするための制御信号を生成し得る。一実施形態において、コントローラ３０は、ユーザによるキーパッド２４の１つ以上のキーの操作に応答して、装置１０を通信モードに設定する。このモードにおいて、コントローラ３０は、スピーカ５６、５７を使用不能あるいはミュートするよう制御し、代わりにスピーカ２８だけを使用可能にするするかも知れない。それから、ユーザは、装置１０を耳にあてて、単一のスピーカ２８により遠隔者の声を聞くことができる。マイクロホン２６により検出されるユーザの音声信号は、周知のようにセルラネットワーク６２を介して遠隔者に送信される。
【００３０】
同様に、コントローラ３０は、装置１０をステレオモードに設定するために制御信号を生成できる。例えば、ユーザがディスプレイ２２に表示されるメニューからそのモードを選ぶことによって、装置１０をステレオモードに設定することができる。ユーザは、それから、所望の無線局を識別する所望の周波数またはコールサインを入力することができる。あるいは、ユーザは、メモリ３２に格納された予め構成されたリストから、無線局または周波数を選ぶことができる。入力に応答して、コントローラ３０は受信機４８を選択された周波数に同調させる。そして、スピーカ２８、５６および５７を使用可能にするために制御信号を生成するだろう。無線信号を受信すると、即座に、コントローラ３０は、無線信号をスピーカ２８、５６および５７によるステレオ音声として再生してもよい。
【００３１】
ユーザが通信モードに戻したい場合、ユーザは単にキーパッド２４上の任意のキーも操作するだけでよい。あるいは、コントローラ３０は、着信を感知し、装置１０を通信モードに設定するために、自動的に制御信号を生成してもよい。一実施形態において、コントローラ３０は、ユーザに装置１０が着信を受信したということを知らせるために、警報音を生成する。そして、ユーザは、呼び出しを許可するか否かを選択し、装置１０を通信モードに戻すことができる。
【００３２】
スピーカ２８、５６および５７の平衡負荷を維持するため、他の情報と共にディスプレイ２２上に音声出力のグラフィック表現が表示されるかもしれない。例えば、本発明の一実施形態で、コントローラ３０は、周期的に増幅器５４の出力をサンプリングする。そのサンプリングおよびユーザ定義のパラメータにしたがって、コントローラ３０はディスプレイ２２にグラフィックイコライザにより提供されるものと類似したグラフィック出力を表示するよう制御する。イコライザ情報を用いて、ユーザは、ステレオ回路２０の１つ以上の構成要素を最適化することができる。
【００３３】
ここまでの考察は通信モードとステレオモードに関するものであるが、当業者は本発明がこれらに制限されないことを認めるであろう。ある構成において、例えば、装置１０は、遠隔会議モードで動作可能である。このモードにおいて、ユーザは、底面部１２ｂをテーブルまたは他の適切な表面に配置する。コントローラ３０は、スピーカ２８、５６および５７の選択されたものを使用可能／使用不能にするユーザ入力に応答して、制御信号を生成する。しかしながら、コントローラ３０は、このモードにおいてステレオ音声としてリモートユーザの音声を出力できる点に留意する必要がある。ディスプレイ２２は、ユーザが話している遠隔者の映像を表示し、カメラ４４およびマイクロホン２６は、遠隔者に送信するためのユーザの映像および音声を取り込む。
【００３４】
他の構成では、ユーザは、装置１０をカラオケモードに設定するために、キー２４ａを使用できる。このモードによって、ユーザはカラオケのような方法で歌い、後の再生のために音声を装置１０に録音することが出来、あるいは、ネットワーク６０を介してライブを１つ以上の遠隔者に発信することが出来る。このモードにおいて、受信機４８は、コントローラ３０から制御信号に応答して放送無線局７６の特定の送信周波数に同調する。ディスプレイ面２２ａがユーザの前に現れるように、ディスプレイ２２は収納位置に位置する。これによって、ユーザが特定の曲の歌詞を見ることができる。また、コントローラ３０は、スピーカ２８、５６および５７を使用可能にし、スピーカ２８、５６および５７により受信された無線信号をステレオ音声として再生する。カメラ４４および／または送受信機３６が動作中のとき、ユーザは音声および／または動画像を１つ以上の遠隔者に送信することができる。
【００３５】
特定の曲に対する歌詞は、メモリに格納されてもよいし、放送無線局７６によって送信されるよう構成してもよい。放送無線局７６が再生されている歌のテキストを送信する能力がある場合、コントローラ３０はその曲の歌詞を抽出しディスプレイ２２上に表示する一方で、音楽をステレオ音声として出力するようにスピーカ２８、５６および５７を制御する。コントローラ３０が再生されている音楽を歌詞に同期可能なように、タイミング信号が放送局７６によって送信されるよう構成してもよい。
【００３６】
図４に示すカメラモードにおいて、装置１０は、画像を取り込むためのカメラとして動作することができる。このモードでは、ハウジング１２に配置されている一対の回動可能ヒンジ８０によって、ディスプレイ２２はハウジング１２に対して収納位置から延伸位置に引き伸ばされ得る。延伸位置においては、ユーザはファインダとしてディスプレイ２２を使用できるように、ディスプレイ面２２ａは装置１０の後面を向いている。周知のように画像を取り込みメモリ３２に保存するためにキーパッド２４の任意のキー２４ａを用いることが出来る。フラッシュ４２は、オブジェクトを照らすために必要に応じて用いられうる。装置１０はハンドル８４を含むため、ディスプレイ２２は、ディスプレイ２２の高さを最適化するためユーザによって調整される１つ以上の伸長可能なテレスコープ伸縮脚８２に配置されていてもよい。
【００３７】
本発明は、もちろん、本発明の本質的特質から逸脱することなく、本願明細書において記載したものとは別の方法で実現することが可能である。本実施形態はあらゆる点で例示的であり限定的でない様に考慮される。そして、添付の請求の範囲の意味と等価範囲の中にある全ての変更が含まれることを目的とする。
【図面の簡単な説明】
【００３８】
【図１】本発明により構成される無線通信装置の一実施形態のブロック図である。
【図２】本発明により構成される無線通信装置が動作し得る環境を示す図である。
【図３】通信／ブームボックス・モードのために構成される本発明の一実施形態の全体図である。
【図４】カメラ・モードのために構成される本発明の一実施形態の全体図である。
【図１】
2008518504.tif 000003
【図２】
2008518504.tif 000004
【図３】
2008518504.tif 000005
【図４】
2008518504.tif 000006
【手続補正書】
【提出日】平成19年12月11日(2007.12.11)
【手続補正１】
【補正対象書類名】特許請求の範囲
【補正対象項目名】全文
【補正方法】変更
【補正の内容】
【特許請求の範囲】
【請求項１】
ハンドヘルド無線通信装置であって、
ハウジングを含み、該ハウジングは、
通信モードにおいて、無線通信ネットワークの１つ以上の基地局と通信する通信回路と、
ステレオモードにおいて、放送無線局からの無線信号を受信するステレオ回路と、
前記ハウジングにおいて反対側に配置される第１スピーカと第２スピーカとを含む、長手方向に配置されたスピーカの第１ペアと、
第３スピーカと第４スピーカとを含む、長手方向に配置されたスピーカの第２ペアと、
前記ステレオモードにおいて、受信した前記無線信号をステレオ音声として再生するため、長手方向に配置されたスピーカの前記第１ペアと前記第２ペアとを選択的に使用可能にするよう構成されたコントローラと、
を含むことを特徴とするハンドヘルド無線通信装置。
【請求項２】
前記第２スピーカは、前記ハウジングにおいてマイクロホンと近接して配置され、
前記コントローラは、さらに、前記ハンドヘルド無線通信装置が通信モードであるとき前記第２スピーカを使用不能にすることを特徴とする請求項１に記載のハンドヘルド無線通信装置。
【請求項３】
さらに、１つ以上の回動可能ヒンジを介して前記ハウジングに接続されたディスプレイを含み、
前記ディスプレイは、前記ハウジングから離れる延伸位置と前記第１スピーカと前記第２スピーカとの間の格納位置との間で移動可能に構成されていることを特徴とする請求項１に記載のハンドヘルド無線通信装置。
【請求項４】
前記ディスプレイは、前記ディスプレイが前記延伸位置にあるとき前記ディスプレイの高さをユーザ調節可能にするための１つ以上のテレスコープ伸縮脚を含むことを特徴とする請求項３に記載のハンドヘルド無線通信装置。
【請求項５】
前記コントローラは、さらに、受信した前記無線信号をサンプリングするよう構成され、長手方向に配置されたスピーカの前記第１ペアおよび第２ペアの負荷を制御することを特徴とする請求項１に記載のハンドヘルド無線通信装置。
【請求項６】
ハンドヘルド無線通信装置のユーザに対し可聴音を再生する方法であって、該方法は、
通信モードにおいて、ハンドヘルド無線通信装置のハウジングに配置された長距離送受信機で無線通信ネットワークの基地局からの通信信号を受信する工程と、
ステレオモードにおいて、前記ハンドヘルド無線通信装置の前記ハウジングに配置された受信機で放送無線局からの無線信号を受信する工程と、
前記ハンドヘルド無線通信装置が前記ステレオモードのとき、前記ハンドヘルド無線通信装置の前記ハウジングにおいて反対側に配置される第１および第２の長手方向のスピーカを選択的に使用可能にし、前記無線信号を可聴音として再生する工程と
前記ハンドヘルド無線通信装置が前記ステレオモードのとき、第３および第４のスピーカを選択的に使用可能にし、使用可能にされたスピーカを介して前記無線信号をステレオ音声として再生する工程と、
を含むことを特徴とする方法。
【請求項７】
さらに、前記ハンドヘルド無線通信装置が前記通信モードのとき、
マイクロホンと近接して配置されている前記第２のスピーカを使用不能にする工程を含むことを特徴とする請求項６に記載の方法。
【請求項８】
さらに、前記ハンドヘルド無線通信装置が前記ステレオモードのとき、
受信した前記無線信号をサンプリングする工程と、
第１乃至第４のスピーカの１つ以上のスピーカの負荷のグラフィック表現を表示する工程と、
を含むことを特徴とする請求項６に記載の方法。
【請求項９】
さらに、前記ハンドヘルド無線通信装置に接続されたディスプレイを収納位置から延伸位置に延長する工程を含むことを特徴とする請求項６に記載の方法。
【請求項１０】
さらに、前記ディスプレイが前記延伸位置にあるとき、
前記ハンドヘルド無線通信装置の前記ハウジングの上の前記ディスプレイの高さを調整する工程を含むことを特徴とする請求項９に記載の方法。
【国際調査報告】
2008518504.tif 000007
2008518504.tif 000008
2008518504.tif 000009